(57)【要約】      （修正有）【課題】着脱自在に取り付けられる箱状ケースを備えた、壁面に貼り付け可能な壁面設置用ケースを提供する。【解決手段】壁面設置用ケースは、シート側取付部２１が表側に設けられた基材シート１１と、自己粘着性を有し、基材シート１１の裏側に積層された粘着層１２と、ケース側取付部が設けられ、ケース側取付部をシート側取付部２１に係合させることにより基材シート１１に対し着脱自在に取り付けられる箱状ケース１３とを備えている。【選択図】図５
0003220264.tif 000002
【実用新案登録請求の範囲】
【請求項１】
壁面に貼り付け可能な壁面設置用ケースであって、
シート側取付部が表側に設けられた基材シートと、
自己粘着性を有し、前記基材シートの裏側に積層された粘着層と、
ケース側取付部が設けられ、該ケース側取付部を前記シート側取付部に係合させることにより前記基材シートに対し着脱自在に取り付けられる箱状ケースとを備えた、壁面設置用ケース。
【請求項２】
当該壁面設置用ケースを正面から見た場合に、前記基材シートは、前記箱状ケースよりも面積が大きい、請求項１に記載の壁面設置用ケース。
【請求項３】
前記ケース側取付部は、前記シート側取付部に対しスライド自在に構成されている、請求項１又は２に記載の壁面設置用ケース。
【請求項４】
前記基材シートの表面には、前記箱状ケースで覆われる部位に図柄の印刷が施され、
前記箱状ケースは透明であり、
当該壁面設置用ケースの正面から見た場合に、前記箱状ケースを通して前記図柄を視認可能である、請求項１乃至３の何れか１つに記載の壁面設置用ケース。
【考案の詳細な説明】
【技術分野】
【０００１】
本考案は、壁面に貼り付け可能な壁面設置用ケースに関する。
【背景技術】
【０００２】
従来から、室内空間等の壁面に貼り付け可能な壁面設置用ケースが知られている。壁面設置用ケースは、物品の収納等に利用される。特許文献１には、シート状ケースが記載されている。このシート状ケースは、粘着剤を覆う保護シールを剥がして、貼付面に貼着することができる。
【０００３】
また、特許文献２には、壁に取り付けることができる簡易花瓶が記載されている。この簡易花瓶は、切り花を挿入する切り花挿入口が設けられた袋の裏面に、粘着シートが設けられている。
【先行技術文献】
【特許文献】
【０００４】
【特許文献１】特許３３４３０５８号公報
【特許文献２】特開２００３−２３０４７１号公報
【考案の概要】
【考案が解決しようとする課題】
【０００５】
ところで、従来の壁面設置用ケースは、接着力が強い粘着剤（例えば、アクリル系粘着剤）を用いることで十分な耐荷重を確保している。壁面設置用ケースの粘着層は壁面に強固に貼り付き、箱状ケースが壁面に強固に固定される。そのため、仮に箱状ケースを移動させる場合、壁面から粘着層を剥離する必要があるが、粘着層の剥離が困難である。また、粘着層を剥離できたとしても、粘着層の粘着力が低下するため、壁面に壁面設置用ケースを再び貼り付けることが困難であり、仮に貼り付けたとしても落下する虞がある。従来の壁面設置用ケースは、一旦貼り付けた位置で収納等に利用できるだけであり、利便性が優れているとは言い難い。
【０００６】
本考案は、このような事情に鑑みてなされたものであり、壁面に貼り付け可能な壁面設置用ケースの利便性を向上させることを目的とする。
【課題を解決するための手段】
【０００７】
上述の課題を解決するべく、第１の考案は、壁面に貼り付け可能な壁面設置用ケースであって、シート側取付部が表側に設けられた基材シートと、自己粘着性を有し、基材シートの裏側に積層された粘着層と、ケース側取付部が設けられ、そのケース側取付部をシート側取付部に係合させることにより基材シートに対し着脱自在に取り付けられる箱状ケースとを備えた、壁面設置用ケースである。
【０００８】
第２の考案は、第１の考案において、壁面設置用ケースを正面から見た場合に、基材シートは、箱状ケースよりも面積が大きい。
【０００９】
第３の考案は、第１又は第２の考案において、ケース側取付部は、シート側取付部に対しスライド自在に構成されている。
【００１０】
第４の考案は、第１乃至第３の何れか１つの考案において、基材シートの表面には、箱状ケースで覆われる部位に図柄の印刷が施され、箱状ケースは透明であり、壁面設置用ケースの正面から見た場合に、箱状ケースを通して図柄を視認可能である。
【考案の効果】
【００１１】
本考案では、粘着層により壁面に貼り付けられた基材シートから、箱状ケースを取り外すことができる。そのため、壁面から粘着層を剥離しなくても、箱状ケースを自由に移動させることができる。また、自己粘着性を有する粘着層は、アクリル系粘着剤の粘着層に比べて壁面から剥がしやすく、剥離後に洗浄することで粘着力が回復する。そのため、貼付位置を変更することも可能である。このように、本考案によれば、一旦貼り付けた位置で収納等に利用できるだけの従来の壁面設置用ケースに比べ、利便性を向上させることができる。
【図面の簡単な説明】
【００１２】
【図１】図１は、実施形態に係る壁面設置用ケースの斜視図である。
【図２】図２は、基材シート及び粘着層等の断面図である。
【図３】図３（ａ）は、基材シートの表側を斜め上側から見た斜視図であり、図３（ｂ）は、基材シートを側方から見た図である。
【図４】図４は、箱状ケースの裏側を斜め下側から見た斜視図である。
【図５】図５（ａ）は、壁面に取り付けた壁面設置用ケースを側方から見た図であり、図５（ｂ）は、箱状ケースを取り付ける際の図である。
【図６】図６は、壁面設置用ケースの写真である。
【考案を実施するための形態】
【００１３】
以下、図１−図６を参照しながら、本考案の実施形態を詳細に説明する。なお、以下の実施形態は、本考案の一例であって、本考案、その適用物、あるいはその用途の範囲を制限することを意図するものではない。
【００１４】
［壁面設置用ケースの概略構成］
図１は、本実施形態に係る壁面設置用ケース１０の斜視図である。壁面設置用ケース１０は、基材シート１１と、基材シート１１の裏側に積層された粘着層１２と、基材シート１１の表側に着脱自在に取り付けられる箱状ケース１３とを備えている。壁面設置用ケース１０を正面から見た場合に、基材シート１１は、箱状ケース１３より面積が大きい。
【００１５】
図２は、基材シート１１及び粘着層１２等の断面図である。図３（ａ）は、基材シート１１の表側を斜め上側から見た斜視図である。図３（ｂ）は、図３（ａ）における矢印Ａの方向に基材シート１１を側方から見た図である。基材シート１１は、表側に図柄１５（図６参照）が印刷された第１シート１１ａと、第１シート１１ａの表側に貼り付けられた第２シート１１ｂとを備えている。第２シート１１ｂは、透明なシートであり、第１シート１１ａの表側を全面に亘って被覆している。第１シート１１ａには、印刷可能なシート（例えば、紙、合成樹脂シート）を用いることができる。第２シート１１ｂには、合成樹脂系の材料（例えば、ポリエチレンテレフタレート（ＰＥＴ樹脂））を用いることができる。なお、図１及び図３では、図柄１５の記載を省略している。
【００１６】
基材シート１１の表側には、図３（ａ）に示すように、一対のシート側取付部２１が形成された取付用部材２０が固定されている。取付用部材２０は、例えばプラスチック製であり、合成樹脂系の材料（例えば、硬質樹脂）により形成されている。取付用部材２０は、略矩形の枠状に形成されている。取付用部材２０は、基材シート１１より一回り小さく、その全体が基材シート１１の外周の内側に配置されている。壁面設置用ケース１０を正面から見た場合、取付用部材２０は、箱状ケース１３と略同じ寸法ある。なお、取付用部材２０は、枠状以外の形状であってもよい。
【００１７】
取付用部材２０では、縦方向に延びる部位の各々が、シート側取付部２１となっている。各シート側取付部２１は、断面視において、基材シート１１の表側から垂直に延びて途中で外側に屈曲したＬ字に形成されている。各シート側取付部２１は、外側に突出する凸部２１ａと、凸部２１ａの基材シート１１側に形成された凹部２１ｂとを有する。また、図３（ｂ）に示すように、取付用部材２０において縦方向に延びる部位の下端部には、止め壁２１ｃが設けられている。凸部２１ａ及び凹部２１ｂは、取付用部材２０の上端より少し下の高さ位置から、止め壁２１ｃまで形成されている。また、取付用部材２０では、横方向に延びる部位のうち上側は、各シート側取付部２１より高さが低く、下側は各シート側取付部２１と同じ高さの下側壁面２２となっている。
【００１８】
粘着層１２は、基材シート１１（第１シート１１ａ）の裏面に亘って設けられている。粘着層１２には、自己粘着性を有する自己粘着性樹脂（例えば、ブチルゴム、ポリウレタンエラストマー、ポリオレフィンエラストマー、ポリエチレンエラストマー、シリコン樹脂、硬質ポリ塩化ビニル、フッ素系樹脂）が用いられている。粘着層１２には、壁面設置用ケース１０を使用する際に剥がされる剥離フィルム１４が積層されている。なお、図１及び図３では、剥離フィルム１４の記載を省略している。
【００１９】
箱状ケース１３は、図１に示すように、上側に開口が形成された略直方体状の箱体である。箱状ケース１３は、例えばプラスチック製であり、合成樹脂系の材料（例えば、硬質樹脂）により形成されている。壁面設置用ケース１０を正面から見た場合、箱状ケース１３の全体は、基材シート１１の外周より内側に配置されている。箱状ケース１３は、基材シート１１における中央部の図柄１５を被覆している（図６参照）。箱状ケース１３は透明容器である。そのため、図柄１５は、壁面設置用ケース１０の正面から、箱状ケース１３を通して視認可能である。
【００２０】
図４は、箱状ケース１３の裏側を斜め下側から見た斜視図である。箱状ケース１３では、裏板１３ａの裏側における左右の両端部に、一対のケース側取付部２３が設けられている。各ケース側取付部２３は、断面視において、裏板１３ａから垂直に延びて途中で内側に屈曲したＬ字に形成されている。各ケース側取付部２３は、内側に突出する凸部２３ａと、凸部２３ａの裏板１３ａ側に形成された凹部２３ｂとを有する。また、箱状ケース１３の裏側における上端部には、各ケース側取付部２３と同じ高さの上側壁面２４が設けられている。上側壁面２４は、一対のケース側取付部２３の上端部を接続している。凸部２３ａ及び凹部２３ｂは、箱状ケース１３の下端より少し上の高さ位置から、上側壁面２４まで形成されている。
【００２１】
本実施形態では、一対のケース側取付部２３を一対のシート側取付部２１に係合させる（噛み合わせる）ことにより、基材シート１１に対し箱状ケース１３を着脱自在に取り付けることができる。一対のケース側取付部２３は、一対のシート側取付部２１に対し縦方向にスライド自在に構成されている。
【００２２】
具体的に、箱状ケース１３の取り付けの際は、各シート側取付部２１の上側から、各シート側取付部２１の凹部２１ｂに各ケース側取付部２３の凸部２３ａを入り込ませ、各ケース側取付部２３の凹部２３ｂに各シート側取付部２１の凸部２１ａを入り込ませて、基材シート１１に沿って箱状ケース１３を下側にスライドさせる。箱状ケース１３は、各ケース側取付部２３の凸部２３ａが止め壁２１ｃに当たるまでスライドさせる。この状態では、箱状ケース１３の下面が取付用部材２０のほぼ下端の高さに到達しており、箱状ケース１３は止め壁２１ｃにより下側から支持される。なお、箱状ケース１３の裏板１３ａの下端部と基材シート１１との隙間は、下側壁面２２により閉塞される。箱状ケース１３の裏板１３ａの上端部と基材シート１１との隙間は、上側壁面２４により閉塞される。
【００２３】
［壁面設置用ケースの使用方法］
壁面設置用ケース１０は、剥離フィルム１４を剥がして、図５（ａ）に示すように、室内空間の壁面３０（例えば、ドア、鏡、家具、冷蔵庫などの電気製品）に対し粘着層１２を貼り付けることにより使用される。壁面設置用ケース１０の耐荷重は、例えば１ｋｇ〜５ｋｇである。
【００２４】
壁面設置用ケース１０を壁面３０に貼り付けた状態では、箱状ケース１３に筆記用具や化粧用具、テレビコントローラなどを入れることができる。また、基材シート１１に対し箱状ケース１３を上側にスライドさせることにより、壁面３０から粘着層１２を剥離しなくても、基材シート１１から箱状ケース１３を取り外して箱状ケース１３を移動させることができる。箱状ケース１３は、机の上などに置くことができる。そして、箱状ケース１３は、図５（ｂ）に示すように、基材シート１１に沿って下側にスライドさせることにより基材シート１１に再び取り付けることができる。
【００２５】
また、粘着層１２は自己粘着性を有する材料により形成されている。そのため、アクリル系粘着剤の粘着層に比べて壁面から粘着層１２を剥がしやすく、壁面３０を傷める虞が小さい。そして、剥離後に粘着層１２を水洗いすることで粘着力が回復する。そのため、再び粘着層１２により壁面３０に壁面設置用ケース１０を貼り付けることができる。壁面設置用ケース１０は、貼付位置を変更することができる。
【００２６】
本実施形態によれば、一旦貼り付けた位置で収納等に利用できるだけの従来のものに比べ、壁面設置用ケース１０の利便性を向上させることができる。
【００２７】
［その他の実施形態］
上述の実施形態では、筆記用具などの物品を収納するために箱状ケース１３を用いたが、花瓶又は金魚鉢等の他の用途に箱状ケース１３を用いてもよい。花瓶として用いる場合、箱状ケース１３は、花瓶のように上側の開口が小さな形状のケースとしてもよい。
【００２８】
上述の実施形態では、箱状ケース１３が略直方体状の箱体であったが、箱状ケース１３は他の形状の箱体（例えば、正面視で半円状の箱体）であってもよい。
【００２９】
上述の実施形態では、基材シート１１に対して箱状ケース１３を着脱自在に取り付ける取付構造が、シート側取付部２１に対しケース側取付部２３をスライドさせるスライド構造であるが、引っ掛け構造など他の構造を採用してもよい。
【００３０】
上述の実施形態では、箱状ケース１３を縦方向にスライドさせて着脱を行うが、壁面設置用ケース１０は、箱状ケース１３を横方向にスライドさせて着脱を行うように構成してもよい。
【００３１】
上述の実施形態では、箱状ケース１３が透明であるが、透明でなくてもよい。また、箱状ケース１３に図柄が設けられていてもよい。
【産業上の利用可能性】
【００３２】
本考案は、壁面に貼り付け可能な壁面設置用ケース等に適用可能である。
【符号の説明】
【００３３】
１０    壁面設置用ケース
１１    基材シート
１２    粘着層
１３    箱状ケース
２１    シート側取付部
２３    ケース側取付部
【図１】
0003220264.tif 000003
【図２】
0003220264.tif 000004
【図３】
0003220264.tif 000005
【図４】
0003220264.tif 000006
【図５】
0003220264.tif 000007
【図６】
0003220264.tif 000008